(57)【要約】【課題】従来技術においては、例えば、ハンガーレールの清掃をより効率的に行うことが望まれている。【解決手段】実施形態のハンガーレール清掃用治具は、エレベータのホールドアのハンガーローラーが載置され転動するハンガーレールの転動面を清掃する治具である。ハンガーレール清掃用治具は、棒状に形成された本体部と、前記本体部の一端に装着される持ち手部と、削ぎ取り部とを備える。削ぎ取り部は、前記本体部の他端に当該本体部と直角をなすように棒状に一体で形成されると共に、延在方向と直交する方向の断面形状が当該延在方向の全体にわたって前記持ち手部側を頂点とした三角形状に形成され、当該三角形状の頂点側が前記転動面と当接可能である。【選択図】図１
2015168558.tif 000002
【特許請求の範囲】
【請求項１】
エレベータのホールドアのハンガーローラーが載置され転動するハンガーレールの転動面を清掃するハンガーレール清掃用治具であって、
棒状に形成された本体部と、
前記本体部の一端に装着される持ち手部と、
前記本体部の他端に当該本体部と直角をなすように棒状に一体で形成されると共に、延在方向と直交する方向の断面形状が当該延在方向の全体にわたって前記持ち手部側を頂点とした三角形状に形成され、当該三角形状の頂点側が前記転動面と当接可能である削ぎ取り部とを備えることを特徴とする、
ハンガーレール清掃用治具。
【発明の詳細な説明】
【技術分野】
【０００１】
本発明の実施形態は、ハンガーレール清掃用治具に関する。
【背景技術】
【０００２】
従来、エレベータは、昇降路内を乗りかごが移動することにより、乗りかごを任意の階床に移動させる。このようなエレベータでは、例えば、種々の清掃用治具を用いて乗り場に設けられるホールドアのハンガーレールを清掃する場合がある。
【先行技術文献】
【特許文献】
【０００３】
【特許文献１】特開平０８−０９１７４９号公報
【発明の概要】
【発明が解決しようとする課題】
【０００４】
ところで、従来技術においては、例えば、ハンガーレールの清掃をより効率的に行うことが望まれている。
【課題を解決するための手段】
【０００５】
実施形態のハンガーレール清掃用治具は、エレベータのホールドアのハンガーローラーが載置され転動するハンガーレールの転動面を清掃する治具である。ハンガーレール清掃用治具は、棒状に形成された本体部と、前記本体部の一端に装着される持ち手部と、削ぎ取り部とを備える。削ぎ取り部は、前記本体部の他端に当該本体部と直角をなすように棒状に一体で形成されると共に、延在方向と直交する方向の断面形状が当該延在方向の全体にわたって前記持ち手部側を頂点とした三角形状に形成され、当該三角形状の頂点側が前記転動面と当接可能である。
【図面の簡単な説明】
【０００６】
【図１】図１は、実施形態に係るハンガーレール清掃用治具の概略構成を表す正面図である。
【図２】図２は、図１中に示すＡ矢視図である。
【図３】図３は、図１中に示すＢ矢視図である。
【図４】図４は、実施形態に係るハンガーレール清掃用治具の適用例を表すホールドア装置の模式的な正面図である。
【図５】図５は、実施形態に係るハンガーレール清掃用治具の適用例を表す模式的な部分斜視図である。
【図６】図６は、実施形態に係るハンガーレール清掃用治具の適用例を表す模式的な側面図である。
【図７】図７は、実施形態に係るハンガーレール清掃用治具が適用されるエレベータの概略構成例を示すブロック図である。
【発明を実施するための形態】
【０００７】
［実施形態］
図１は、実施形態に係るハンガーレール清掃用治具の概略構成を表す正面図である。図２は、図１中に示すＡ矢視図（削ぎ取り部の延在方向一方側から視た側面図）である。図３は、図１中に示すＢ矢視図（削ぎ取り部の延在方向と直交する方向の一方側から視た側面図）である。図４は、実施形態に係るハンガーレール清掃用治具の適用例を表すホールドア装置の模式的な正面図である。図５は、実施形態に係るハンガーレール清掃用治具の適用例を表す模式的な部分斜視図である。図６は、実施形態に係るハンガーレール清掃用治具の適用例を表す模式的な側面図である。図７は、実施形態に係るハンガーレール清掃用治具が適用されるエレベータの概略構成例を示すブロック図である。
【０００８】
図１〜図６に示す本実施形態に係るハンガーレール清掃用治具１００は、図４に示すように、エレベータ１のホールドア１２ａのハンガーローラー１２ｄが載置され転動するハンガーレール１２ｂの転動面としての上側転動面１２ｆを清掃するための治具である。
【０００９】
ここで、本実施形態のハンガーレール清掃用治具１００は、図７に示すようなエレベータ１に適用される。エレベータ１は、乗りかご２が昇降路７内を昇降することで任意の目的階の乗場６に移動することができるものである。エレベータ１は、乗りかご２、カウンタウェイト３、メインロープ４、巻上機５、制御装置（制御盤）１０等を含んで構成される。エレベータ１は、乗りかご２とカウンタウェイト３とをメインロープ４で連結したいわゆるつるべ式のエレベータである。エレベータ１は、乗場６が設けられる。
【００１０】
乗りかご２は、かご操作盤８等を含んで構成され、建物に設けられた昇降路７を昇降可能である。かご操作盤８は、利用者による操作入力に応じていわゆるかご呼び登録等を行う。メインロープ４は、巻上機５のメインシーブ５ａやそらせシーブ５ｂ等に掛けられる。メインロープ４は、一端に乗りかご２が接続され、他端にカウンタウェイト３が接続される。巻上機５は、例えば、動力を発生させる電動機（モータ）５ｃを有する。巻上機５は、電動機５ｃが駆動することで、この電動機５ｃに連結されたメインシーブ５ａが回転駆動する。そして、巻上機５は、メインシーブ５ａとメインロープ４との間に生じる摩擦力を利用してメインロープ４を電動で巻き上げる。乗場６は、乗りかご２が着床可能な各エレベータ停止階床に設けられる。各乗場６は、それぞれ乗場操作盤９等が設けられる。乗場操作盤９は、利用者による操作入力に応じていわゆる乗場呼び登録等を行う。
【００１１】
また、エレベータ１は、乗りかご２の乗場６への乗降口１１Ａに設けられるかごドア装置１１と、各乗場６の乗りかご２への乗降口１２Ａに設けられるホールドア装置１２とを含んで構成される。ホールドア装置１２は、乗場６と昇降路７との間を開閉可能に仕切る。ホールドア装置１２は、通常は閉鎖状態にあり、乗場６側と乗りかご２が昇降移動する昇降路７側との間を遮っており、乗りかご２の着床時に、乗りかご２側のかごドア装置１１に連動して開閉される。
【００１２】
制御装置１０は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは予め用意されたマップデータ、エレベータ１の仕様等の情報を記憶する。制御装置１０は、種々のセンサ、検出器やエレベータ１の各部と電気的に接続され、各部の動作を統括的に制御する。    
【００１３】
上記のように構成されるエレベータ１は、通常モードとして、利用者によりかご操作盤８、乗場操作盤９等を介して乗りかご２の呼び操作が行われた場合、下記のように動作する。すなわち、エレベータ１は、かご操作盤８、乗場操作盤９等から制御装置１０にこれに応じたかご呼び登録信号、乗場呼び登録信号が入力される。そして、エレベータ１は、制御装置１０がこのかご呼び登録信号、乗場呼び登録信号に応じて乗りかご２のかご呼び登録、あるいは、乗場呼び登録を行う。そして、制御装置１０は、かご呼び登録、乗場呼び登録、種々のセンサ、検出器からの出力、乗りかご２の現在の移動方向（昇降方向）等に基づいて、乗りかご２が合理的に移動しながらそれぞれの呼びに応答するように乗りかご２の着床順序を定める。そして、制御装置１０は、巻上機５を駆動制御し、乗りかご２を目的の階床へと移動させる。これにより、エレベータ１は、乗りかご２が昇降路７内を鉛直方向上下に昇降移動し、任意の目的階の乗場６に移動する。そして、エレベータ１は、乗りかご２が目的階の乗場６に着床し、所定の着床位置に着床したことが検出されると、その後、乗りかご２のかごドア装置１１、及び、当該階床の乗場６のホールドア装置１２を連動して開放する。これにより、乗場６で待機している利用者は、乗りかご２内に乗り込むことが可能となり、また、乗りかご２内の利用者は乗場６に降りることが可能となる。
【００１４】
図１〜図６に示す本実施形態に係るハンガーレール清掃用治具１００は、上記のように構成されるエレベータ１のホールドア装置１２のハンガーレール１２ｂを清掃する際に用いられる。ここで、当該ハンガーレール清掃用治具１００が適用されるホールドア装置１２は、図４に示すように、ホールドア１２ａ、ハンガーレール１２ｂ、ドアハンガー１２ｃ、ハンガーローラー１２ｄ、ドア外れ止めローラー１２ｅ等を含んで構成される。
【００１５】
ホールドア１２ａは、乗降口１２Ａ（図７参照）を開閉するための矩形状のパネル部材（ドアパネル）として形成される。ホールドア１２ａは、１枚で構成されてもよいし、複数枚で構成されてもよい。また、ホールドア１２ａは、片開き式であってもよいし、中央両開き式であってもよい。ここでは、図４は、１枚のホールドア１２ａを図示しており、他のホールドア１２ａの図示は省略している。ハンガーレール１２ｂは、各乗場６の乗降口１２Ａの鉛直方向上側でかつ昇降路７側に面するように設けられる。また、ホールドア装置１２は、例えば、当該ホールドア装置１２をかごドア装置１１と連動して開閉させるための種々の機構や、乗りかご２が所定の着床位置にある状態以外の状態でホールドア装置１２が開かないようにするためのインターロック機構等が設けられる。ハンガーレール１２ｂは、乗降口１２Ａの鉛直方向上側の端部に沿って水平方向に設けられる。ハンガーレール１２ｂは、ホールドア装置１２の開閉移動を案内する案内部材であり、このハンガーレール１２ｂに沿った方向、すなわち、水平方向がホールドア装置１２の開閉方向となる。言い換えれば、ハンガーレール１２ｂは、ホールドア装置１２の開閉方向に沿って設けられる。ハンガーレール１２ｂは、ホールドア装置１２の開閉に伴ってハンガーローラー１２ｄが転動する転動面である上側転動面１２ｆと、ホールドア装置１２の開閉に伴ってドア外れ止めローラー１２ｅが転動する転動面である下側転動面１２ｇとを有する。上側転動面１２ｆは、ハンガーレール１２ｂの鉛直方向上側の面である。下側転動面１２ｇは、ハンガーレール１２ｂの鉛直方向下側の面である。ハンガーレール１２ｂは、ホールドア１２ａの枚数に応じた数が設けられる。
【００１６】
ドアハンガー１２ｃは、ホールドア１２ａの上端面に締結される板状の部材である。ドアハンガー１２ｃは、ホールドア１２ａに対してそれぞれ１つずつ設けられる。ドアハンガー１２ｃは、ハンガーローラー１２ｄ、ドア外れ止めローラー１２ｅをホールドア１２ａの鉛直方向上端部に支持する。ハンガーローラー１２ｄ、ドア外れ止めローラー１２ｅは、ともに円筒状の転動体として形成され、ドアハンガー１２ｃに自転可能に支持される。ハンガーローラー１２ｄとドア外れ止めローラー１２ｅとは、鉛直方向に対してハンガーレール１２ｂを挟んで対向して対をなす。ここでは、一対のハンガーローラー１２ｄとドア外れ止めローラー１２ｅとは、１つのドアハンガー１２ｃに２組ずつ設けられる。各ハンガーローラー１２ｄは、上側転動面１２ｆ上に載置されて転動可能であり、各ドア外れ止めローラー１２ｅは、下側転動面１２ｇに接触して転動可能である。各ハンガーローラー１２ｄ、各ドア外れ止めローラー１２ｅは、中心軸線（回転軸線）が水平方向に沿いかつ開閉方向に対して直交するような位置関係でドアハンガー１２ｃに支持される。ホールドア１２ａは、各ハンガーローラー１２ｄの外周面がハンガーレール１２ｂの鉛直方向上側の上側転動面１２ｆに接触するような位置関係で、全体がハンガーレール１２ｂに吊り下げられる構造となっている。つまり、ホールドア１２ａは、ドアハンガー１２ｃ、各ハンガーローラー１２ｄを介してハンガーレール１２ｂの上側転動面１２ｆ側に吊り下げられる状態となり、この状態で各ハンガーローラー１２ｄが上側転動面１２ｆ上を転動することで開閉される。各ドア外れ止めローラー１２ｅは、鉛直方向に対してハンガーレール１２ｂを挟んで各ハンガーローラー１２ｄと対向する。各ドア外れ止めローラー１２ｅは、各ハンガーローラー１２ｄとの間にハンガーレール１２ｂを挟持し、ホールドア１２ａの開閉に伴って下側転動面１２ｇと接触しながら転動することで、ホールドア１２ａの振れ、脱落等を抑制し円滑な開閉動作を実現することができる。
【００１７】
そして、本実施形態のハンガーレール清掃用治具１００は、図１、図２、図３に示すように、棒状に形成された本体部１０１と、本体部１０１の一端に装着される持ち手部１０２と、本体部１０１の他端に当該本体部１０１と一体で形成される削ぎ取り部１０３とを備え、全体で略Ｌ字型の清掃用治具を構成することで、ハンガーレール１２ｂの清掃を効率的に行うことができるようにしている。
【００１８】
具体的には、本体部１０１は、断面形状が略矩形状の棒状に形成される。持ち手部１０２は、円筒筒状に形成され、本体部１０１の一端に装着される。削ぎ取り部１０３は、本体部１０１の他端に当該本体部１０１と直角をなすように棒状に一体で形成される。削ぎ取り部１０３は、図１等に示すように、延在方向と直交する方向の断面形状が持ち手部１０２側を頂点１０３ａとした三角形状に形成される。削ぎ取り部１０３の断面形状は、当該延在方向の全体にわたって持ち手部１０２側を頂点１０３ａとした三角形状に形成される。ここで、削ぎ取り部１０３の延在方向とは、典型的には、本体部１０１と直交する方向であり、棒状の削ぎ取り部１０３がのびる方向である。ハンガーレール清掃用治具１００は、当該三角形状の頂点１０３ａ側が上側転動面１２ｆと当接可能である。
【００１９】
本体部１０１と削ぎ取り部１０３とは、例えば、金属等によって一体で形成される。持ち手部１０２は、例えば、プラスチック等の樹脂材料によって形成され、本体部１０１に装着される。本体部１０１は、長手方向の寸法が例えばホールドア１２ａの鉛直方向の高さに応じて形成される。持ち手部１０２は、直径φが例えば７．５ｍｍから１２．５ｍｍ程度、ここでは１０ｍｍ程度に形成される。持ち手部１０２は、長手方向の寸法が例えば５０ｍｍから９０ｍｍ程度、ここでは７０ｍｍ程度に形成される。削ぎ取り部１０３は、延在方向と直交する方向の断面における三角形状の高さ方向の寸法が例えば７．５ｍｍから１７．５ｍｍ程度、ここでは、１５ｍｍ程度に形成される。また、削ぎ取り部１０３は、延在方向に沿った寸法が例えば７５ｍｍから１２５ｍｍ程度、ここでは、１００ｍｍ程度に形成される。
【００２０】
このようなハンガーレール清掃用治具１００を用いて、エレベータ１の作業員等により行われる、ハンガーレール１２ｂの上側転動面１２ｆの清掃作業の概要は以下のとおりである。すなわち、作業員は、例えば、まず、乗りかご２内に乗り込み、清掃の対象となるハンガーレール１２ｂの階床へ移動する。乗りかご２が対象の階床に移動すると、作業員は、かごドア装置１１、ホールドア装置１２が開放された後、再度かごドア装置１１、ホールドア装置１２が閉鎖されないように処置する。作業員は、例えば、かご内安全スイッチ等をカットすることで当該処置を行う。そして、作業員は、ハンガーレール清掃用治具１００を用いてハンガーレール１２ｂの上側転動面１２ｆを清掃する。
【００２１】
より詳細には、作業員は、ハンガーレール清掃用治具１００の持ち手部１０２を把持し、削ぎ取り部１０３を、乗りかご２の室内側から当該乗りかご２と乗場６との間の隙間を介してハンガーレール１２ｂ側に挿入する。そして、作業員は、図４、図５、図６に示すように、削ぎ取り部１０３の頂点１０３ａ側をハンガーレール１２ｂの上側転動面１２ｆに引っ掛けるように当接させ、当該削ぎ取り部１０３の頂点１０３ａによって上側転動面１２ｆ上に固着した汚れ５０等を削ぎ取るように、当該削ぎ取り部１０３を上側転動面１２ｆに沿って動かしていく。この場合、ハンガーレール清掃用治具１００は、上記のような形状、寸法で形成されていることから、上記のような上側転動面１２ｆの清掃作業を効率よく行うことができる。そして、作業員は、種々の終了作業を行って上側転動面１２ｆの清掃作業を終了する。
【００２２】
以上で説明したハンガーレール清掃用治具１００によれば、エレベータ１のホールドア１２ａのハンガーローラー１２ｄが載置され転動するハンガーレール１２ｂの上側転動面１２ｆを清掃するものである。当該ハンガーレール清掃用治具は、棒状に形成された本体部１０１と、本体部１０１の一端に装着される持ち手部１０２と、削ぎ取り部１０３とを備える。削ぎ取り部１０３は、本体部１０１の他端に当該本体部１０１と直角をなすように棒状に一体で形成されると共に、延在方向と直交する方向の断面形状が当該延在方向の全体にわたって持ち手部１０２側を頂点１０３ａとした三角形状に形成され、当該三角形状の頂点１０３ａ側が上側転動面１２ｆと当接可能である。
【００２３】
したがって、以上で説明したハンガーレール清掃用治具１００によれば、削ぎ取り部１０３の断面形状が延在方向の全体にわたって持ち手部１０２側を頂点１０３ａとした三角形状に形成されることから、作業員は、当該削ぎ取り部１０３の頂点１０３ａによって上側転動面１２ｆ上に固着した汚れ５０等を削ぎ取るようにして当該上側転動面１２ｆ上を清掃することができるので、ハンガーレール１２ｂの清掃を効率的に行うことができる。この場合、ハンガーレール清掃用治具１００は、削ぎ取り部１０３の断面形状が延在方向の全体にわたって持ち手部１０２側を頂点１０３ａとした三角形状に形成されているので汚れ５０の削ぎ取り逃しを抑制でき、この点でも、作業員は、ハンガーレール１２ｂの清掃を効率的に行うことができる。この結果、作業員は、例えば、清掃作業の作業時間を短縮することができる。また、ハンガーレール清掃用治具１００は、上記のように略Ｌ字型で上述のような寸法で形成されるので、狭い箇所でも容易にハンガーレール１２ｂの清掃を行うことができる。また、このハンガーレール清掃用治具１００を用いれば、作業員は、例えば、エレベータ１を点検モード等にすることなく、通常モードで運転する通常運転のままでもハンガーレール１２ｂの清掃を行うことができる。
【００２４】
以上で説明した実施形態、変形例に係るハンガーレール清掃用治具によれば、ハンガーレールの清掃を効率的に行うことができる。
【００２５】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２６】
１    エレベータ
１２    ホールドア装置
１２ａ    ホールドア
１２ｂ    ハンガーレール
１２ｃ    ドアハンガー
１２ｄ    ハンガーローラー
１２ｅ    ドア外れ止めローラー
１２ｆ    上側転動面（転動面）
１２ｇ    下側転動面
５０    汚れ
１００    ハンガーレール清掃用治具
１０１    本体部
１０２    持ち手部
１０３    削ぎ取り部
１０３ａ    頂点
【図１】
2015168558.tif 000003
【図２】
2015168558.tif 000004
【図３】
2015168558.tif 000005
【図４】
2015168558.tif 000006
【図５】
2015168558.tif 000007
【図６】
2015168558.tif 000008
【図７】
2015168558.tif 000009
【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
エレベータのホールドアのハンガーローラーが載置され転動するハンガーレールの転動面を清掃するハンガーレール清掃用治具であって、棒状に形成された本体部と、前記本体部の一端に装着される持ち手部と、前記本体部の他端に当該本体部と直角をなすように棒状に形成されると共に、延在方向と直交する方向の断面形状が当該延在方向の全体にわたって前記持ち手部側を頂点とした三角形状に形成され、当該三角形状の頂点側が前記転動面と当接可能である削ぎ取り部とを備え、前記本体部と前記削ぎ取り部とは、金属によって一体で形成されることを特徴とする、ハンガーレール清掃用治具。
【手続補正２】
【補正対象書類名】明細書
【補正対象項目名】０００５
【補正方法】変更
【補正の内容】
【０００５】
実施形態のハンガーレール清掃用治具は、エレベータのホールドアのハンガーローラーが載置され転動するハンガーレールの転動面を清掃する治具である。ハンガーレール清掃用治具は、棒状に形成された本体部と、前記本体部の一端に装着される持ち手部と、削ぎ取り部とを備える。削ぎ取り部は、前記本体部の他端に当該本体部と直角をなすように棒状に形成されると共に、延在方向と直交する方向の断面形状が当該延在方向の全体にわたって前記持ち手部側を頂点とした三角形状に形成され、当該三角形状の頂点側が前記転動面と当接可能である。前記本体部と前記削ぎ取り部とは、金属によって一体で形成される。